(57)【要約】【課題】特色調整の際に用いたメディアの設定や濃度、画質等の設定が異なることに起因して無駄な特色調整パターンが印刷されるのを防止できる（その結果、メディア等が無駄に消費されるのを防止できる）印刷方法等を提供する。【解決手段】プリンターが接続されたホストコンピューターにおける印刷方法において、第１印刷設定情報および特色調整パターンを取得する第１取得工程と、前記プリンターが記憶する第２印刷設定情報（例えば、用紙設定、濃度、画質）を取得する第２取得工程と、前記第１印刷設定情報と前記第２印刷設定情報とが一致するか否かを判定する判定工程を有し、前記特色調整パターンの印刷指示を受信し、かつ、前記判定工程によって前記第１印刷設定情報と前記第２印刷設定情報とが一致しないと判定された場合、所定の警告を前記ホストコンピューターあるいは前記プリンターから報知させる。【選択図】図４
2017151589.tif 000002
【特許請求の範囲】
【請求項１】
プリンターが接続されたホストコンピューターにおける印刷方法において、
第１印刷設定情報および特色調整パターンを取得する第１取得工程と、
前記プリンターが記憶する第２印刷設定情報を取得する第２取得工程と、
前記第１印刷設定情報と前記第２印刷設定情報とが一致するか否かを判定する判定工程を有し、
前記特色調整パターンの印刷指示を受信し、かつ、前記判定工程によって前記第１印刷設定情報と前記第２印刷設定情報とが一致しないと判定された場合、所定の警告を前記ホストコンピューターあるいは前記プリンターから報知させる印刷方法。
【請求項２】
前記第１印刷設定情報は、前記ホストコンピューターと接続された入力装置から取得されることを特徴とする請求項１に記載の印刷方法。
【請求項３】
前記所定の警告が報知された後、前記特色調整パターンの印刷指示を再度受信した場合、前記特色調整パターンを前記プリンターに印刷させる請求項１又は２に記載の印刷方法。
【請求項４】
前記特色調整パターンの印刷指示を再度受信した場合、前記プリンターが記憶する前記第２印刷設定情報を前記第１印刷設定情報に書き換える請求項３に記載の印刷方法。
【請求項５】
プリンターと、前記プリンターが接続されたホストコンピューターと、を備えたプリントシステムにおいて、
前記ホストコンピューターが、
第１印刷設定情報および特色調整パターンを取得する第１取得部と、
前記プリンターが記憶する第２印刷設定情報を取得する第２取得部と、
前記第１印刷設定情報と前記第２印刷設定情報とが一致するか否かを判定する判定部と、を有し、
前記特色調整パターンの印刷指示を受信し、かつ、前記判定部によって前記第１印刷設定情報と前記第２印刷設定情報とが一致しないと判定された場合、所定の警告を前記ホストコンピューターあるいは前記プリンターから報知させるプリントシステム。
【請求項６】
プリンターが接続されたホストコンピューターに、
第１印刷設定情報および特色調整パターンを取得する第１取得手順と、
前記プリンターが記憶する第２印刷設定情報を取得する第２取得手順と、
前記第１印刷設定情報と前記第２印刷設定情報とが一致するか否かを判定する判定手順と、
前記特色調整パターンの印刷指示を受信し、かつ、前記判定手順によって前記第１印刷設定情報と前記第２印刷設定情報とが一致しないと判定された場合、所定の警告を前記ホストコンピューターあるいは前記プリンターから報知させる報知手順と、を実現させるためのプログラム。
【発明の詳細な説明】
【技術分野】
【０００１】
本発明は、印刷方法、プリントシステム及びプログラムに関し、特に、特色調整の際に用いたメディアの設定や濃度、画質等の設定が異なることに起因して、無駄な特色調整パターンが印刷されるのを防止できる（その結果、メディア等が無駄に消費されるのを防止できる）印刷方法、プリントシステム及びプログラムに関する。
【背景技術】
【０００２】
従来、コーポレートカラー等の特色の色再現性を確保する観点から、特色調整パターン、例えば、特定色（例えば、ＲＧＢによって表現される色）に基づく基準色（例えば、ＣＭＹＫインクによって表現される色）と当該基準色に対して色相等が僅かずつ異なる複数の類似色（例えば、ＣＭＹＫインクによって表現される色）とを含む特色調整パターンをメディアに印刷し、その中で色見本（例えば、コーポレートカラー）に最も近い色をユーザーに選択させ、その選択された色のデータと前記特定色のデータとを対応付けて記憶し、以後、特定色のデータについては、当該特定色のデータに対応付けて記憶された色のデータに基づく色として印刷するように構成されたプリンターが存在する（例えば、特許文献１参照）。
【先行技術文献】
【特許文献】
【０００３】
【特許文献１】特開平１０−２１０３１２号公報
【発明の概要】
【発明が解決しようとする課題】
【０００４】
しかしながら、上記のプリンターにおいては、特色調整の際に用いたメディア、濃度、画質等が同一である限り、コーポレートカラー等の特色を特色調整時と同様の色で色再現性良く印刷できるものの、特色調整の際に用いたメディアの設定や濃度、画質等の設定が異なる場合、コーポレートカラー等の特色が期待の色からズレた色で印刷されてしまう等の問題があり、その結果、特色調整パターンとして使えず、メディアが無駄に消費されるという課題がある。
【０００５】
本発明は、上記事情に鑑みてなされたものであり、特色調整の際に用いたメディアの設定や濃度、画質等の設定が異なることに起因して無駄な特色調整パターンが印刷されるのを防止できる（その結果、メディア等が無駄に消費されるのを防止できる）印刷方法、プリントシステム及びプログラムを提供することを目的とする。
【課題を解決するための手段】
【０００６】
上記目的を達成するために、本発明の一つの側面は、プリンターが接続されたホストコンピューターにおける印刷方法において、第１印刷設定情報および特色調整パターンを取得する第１取得工程と、前記プリンターが記憶する第２印刷設定情報を取得する第２取得工程と、前記第１印刷設定情報と前記第２印刷設定情報とが一致するか否かを判定する判定工程を有し、前記特色調整パターンの印刷指示を受信し、かつ、前記判定工程によって前記第１印刷設定情報と前記第２印刷設定情報とが一致しないと判定された場合、所定の警告を前記ホストコンピューターあるいは前記プリンターから報知させることを特徴とする。
【０００７】
この側面によれば、特色調整の際に用いたメディアの設定や濃度、画質等の設定が異なることに起因して無駄な特色調整パターンが印刷されるのを防止できる（その結果、メデ
ィア等が無駄に消費されるのを防止できる）印刷方法を提供できる。
【０００８】
これは、特色調整パターンの印刷指示を受信し、かつ、第１印刷設定情報（例えば、ユーザーが入力したメディア設定、濃度、画質等の印刷設定）と第２印刷設定情報（例えば、プリンターから取得したメディア設定、濃度、画質等の印刷設定）とが一致しないと判定された場合、所定の警告をホストコンピューターあるいはプリンターから報知し、ユーザーに注意を促すことによるものである。
【０００９】
また、上記発明において、好ましい態様は、前記第１印刷設定情報は、前記ホストコンピューターと接続された入力装置から取得されることを特徴とする。
【００１０】
この態様によっても、特色調整の際に用いたメディアの設定や濃度、画質等の設定が異なる場合、コーポレートカラー等の特色が期待の色からズレた色で印刷されてしまうのを防止できる（その結果、特色調整パターンとして使えず、メディアが無駄に消費されるのを防止できる）印刷方法を提供できる。
【００１１】
また、上記発明において、好ましい態様は、前記所定の警告が報知された後、前記特色調整パターンの印刷指示を再度受信した場合、前記特色調整パターンを前記プリンターに印刷させることを特徴とする。
【００１２】
この態様によれば、第１印刷設定情報と第２印刷設定情報とが一致せず、所定の警告が報知された場合であっても、特色調整パターンの印刷指示を再度受信（入力）することで、特色調整パターンを印刷させることができる。
【００１３】
また、上記発明において、好ましい態様は、前記特色調整パターンの印刷指示を再度受信した場合、前記プリンターが記憶する前記第２印刷設定情報を前記第１印刷設定情報に書き換えることを特徴とする。
【００１４】
この態様によれば、特色調整パターンの印刷指示を再度受信（入力）することで、プリンターが記憶する前記第２印刷設定情報を前記第１印刷設定情報に書き換えることができる。
【００１５】
上記目的を達成するために、本発明の別の側面は、プリンターと、前記プリンターが接続されたホストコンピューターと、を備えたプリントシステムにおいて、前記ホストコンピューターが、第１印刷設定情報および特色調整パターンを取得する第１取得部と、前記プリンターが記憶する第２印刷設定情報を取得する第２取得部と、前記第１印刷設定情報と前記第２印刷設定情報とが一致するか否かを判定する判定部と、を有し、前記特色調整パターンの印刷指示を受信し、かつ、前記判定部によって前記第１印刷設定情報と前記第２印刷設定情報とが一致しないと判定された場合、所定の警告を前記ホストコンピューターあるいは前記プリンターから報知させることを特徴とする。
【００１６】
この側面によれば、特色調整の際に用いたメディアの設定や濃度、画質等の設定が異なることに起因して無駄な特色調整パターンが印刷されるのを防止できる（その結果、メディア等が無駄に消費されるのを防止できる）プリントシステムを提供できる。
【００１７】
これは、特色調整パターンの印刷指示を受信し、かつ、第１印刷設定情報（例えば、ユーザーが入力したメディア設定、濃度、画質等の印刷設定）と第２印刷設定情報（例えば、プリンターから取得したメディア設定、濃度、画質等の印刷設定）とが一致しないと判定された場合、所定の警告をホストコンピューターあるいはプリンターから報知し、ユーザーに注意を促すことによるものである。
【００１８】
上記目的を達成するために、本発明のさらに別の側面は、プリンターが接続されたホストコンピューターに、第１印刷設定情報および特色調整パターンを取得する第１取得手順と、前記プリンターが記憶する第２印刷設定情報を取得する第２取得手順と、前記第１印刷設定情報と前記第２印刷設定情報とが一致するか否かを判定する判定手順と、前記特色調整パターンの印刷指示を受信し、かつ、前記判定工程によって前記第１印刷設定情報と前記第２印刷設定情報とが一致しないと判定された場合、所定の警告を前記ホストコンピューターあるいは前記プリンターから報知させる報知手順と、を実現させるためのプログラムであることを特徴とする。
【００１９】
この側面によれば、特色調整の際に用いたメディアの設定や濃度、画質等の設定が異なることに起因して無駄な特色調整パターンが印刷されるのを防止できる（その結果、メディア等が無駄に消費されるのを防止できる）プログラムを提供できる。
【００２０】
これは、特色調整パターンの印刷指示を受信し、かつ、第１印刷設定情報（例えば、ユーザーが入力したメディア設定、濃度、画質等の印刷設定）と第２印刷設定情報（例えば、プリンターから取得したメディア設定、濃度、画質等の印刷設定）とが一致しないと判定された場合、所定の警告をホストコンピューターあるいはプリンターから報知し、ユーザーに注意を促すことによるものである。
【図面の簡単な説明】
【００２１】
【図１】本発明の印刷方法、プリントシステム及びプログラムが適用されるプリントシステム１０（ホストコンピューター２０及びプリンター４０）のシステム構成の一例を示す図である。
【図２】本発明の印刷方法、プリントシステム及びプログラムが適用されるプリントシステム１０（ホストコンピューター２０及びプリンター４０）の機能ブロックの一例を示す図である。
【図３】特色調整パターンＰの一例である。
【図４】ホストコンピューター２０の動作の一例を説明するためのフローチャートである。
【図５】プリンター４０の動作の一例を説明するためのフローチャートである。
【発明を実施するための形態】
【００２２】
以下、本発明の実施形態について添付図面を参照しながら説明する。各図において対応する構成要素には同一の符号が付され、重複する説明は省略される。
【００２３】
まず、本発明の印刷方法、プリントシステム及びプログラムの実施形態の概要について説明する。
【００２４】
図１は、本発明の印刷方法、プリントシステム及びプログラムが適用されるプリントシステム１０（ホストコンピューター２０及びプリンター４０）のシステム構成の一例を示す図である。図２は、本発明の印刷方法、プリントシステム及びプログラムが適用されるプリントシステム１０（ホストコンピューター２０及びプリンター４０）の機能ブロックの一例を示す図である。図３は、特色調整パターンＰの一例である。図４は、ホストコンピューター２０の動作の一例を説明するためのフローチャートである。
【００２５】
本実施形態の印刷方法は、プリンター４０が接続されたホストコンピューター２０（図１参照）における印刷方法において、図４に示すように、第１印刷設定情報（メディア設定（例えば、用紙種類）や印刷設定（例えば、濃度、画質））および特色調整パターンＰ（図３参照）を取得する第１取得工程（ステップＳ１２、Ｓ１４）と、プリンター４０が
記憶する第２印刷設定情報（メディア設定（例えば、用紙種類）や印刷設定（例えば、濃度、画質））を取得する第２取得工程（ステップＳ１８）と、第１印刷設定情報と第２印刷設定情報とが一致するか否かを判定する判定工程（ステップＳ２０）を有し、特色調整パターンＰの印刷指示を入力（受信）し（ステップＳ１６：Ｙｅｓ）、かつ、判定工程によって第１印刷設定情報と第２印刷設定情報とが一致しないと判定された場合（ステップＳ２０：Ｎｏ）、所定の警告をホストコンピューター２０あるいはプリンター４０から報知させる（ステップＳ２２）。
【００２６】
本実施形態の印刷方法によれば、入力装置３０から入力された第１印刷設定情報（特色調整の際に用いたメディアの設定や濃度、画質等の設定）がプリンター４０（例えば、第２印刷設定情報記憶部４６ａ）に記憶された第２印刷設定情報と異なることに起因して無駄な特色調整パターンＰが印刷されるのを防止できる（その結果、メディア等が無駄に消費されるのを防止できる）。
【００２７】
これは、特色調整パターンＰの印刷指示を入力（受信）し（ステップＳ１６：Ｙｅｓ）、かつ、第１印刷設定情報（例えば、ユーザーが入力装置３０から入力したメディア設定、濃度、画質等の印刷設定）と第２印刷設定情報（例えば、プリンター４０から取得したメディア設定、濃度、画質等の印刷設定）とが一致しないと判定された場合（ステップＳ２０：Ｎｏ）、所定の警告をホストコンピューター２０あるいはプリンター４０から報知して（ステップＳ２２）ユーザーに注意を促し、特色調整パターンＰの印刷データをプリンター４０に送信しない（つまり、無駄な特色調整パターンを印刷しない）ことによるものである。
【００２８】
以下、本発明の印刷方法、プリントシステム及びプログラムが適用されるプリントシステム１０について、図面を参照しながら詳細に説明する。
【００２９】
図１に示すように、プリントシステム１０は、ホストコンピューター２０、及び、プリンター４０を備える。
【００３０】
まず、ホストコンピューター２０について説明する。
【００３１】
ホストコンピューター２０は、ハード構成として、ＣＰＵ２２、これにバスを介して接続された、ＲＡＭ２４、ＲＯＭ２６、ＨＤＤ２８、キーボードやマウス等の入力装置３０、ディスプレイ等の表示装置３２、Ｉ／Ｆ（インターフェース。以下同様）３４等を備える。ホストコンピューター２０には、Ｉ／Ｆ３４を介してプリンター４０が接続される。
【００３２】
ＨＤＤ２８には、図示しないが、オペレーティングシステム、ラベル作成アプリケーション、プリンタードライバー、特色調整ツール等が記憶される。
【００３３】
ホストコンピューター２０は、機能構成として、図２に示すように、第１印刷設定情報取得部３６ａ、第２印刷設定情報取得部３６ｂ、特色調整パターン生成部３６ｃ、特色調整パターン取得部３６ｄ、判定部３６ｅ、送信部３６ｆ、報知部３６ｇ、問合せ部３６ｈ等を備える。これらの機能は、主に、ホストコンピューター２０（ＣＰＵ２２）が、ＨＤＤ２８からＲＡＭ２４に読み込まれた所定プログラム（主に、特色調整ツール）を実行することによって実現される。
【００３４】
第１印刷設定情報取得部３６ａは、入力装置３０から入力された第１印刷設定情報を取得する。第１印刷設定情報は、例えば、メディア設定（例えば、用紙種類）や印刷設定（例えば、濃度、画質）である。第１印刷設定情報取得部３６ａによって取得された第１印刷設定情報は、ＲＡＭ２４やＲＯＭ２６等の記憶部に記憶される。
【００３５】
第２印刷設定情報取得部３６ｂは、プリンター４０（例えば、第２印刷設定情報記憶部４６ａ）からＩ／Ｆ３４を介して第２印刷設定情報を取得する。これは、例えば、第２印刷設定情報取得部３６ｂが、第２印刷設定情報を取得するためのコマンドをＩ／Ｆ３４を介してプリンター４０に送信し、当該コマンドを受信したプリンター４０からＩ／Ｆ５０を介して送信される第２印刷設定情報を取得（受信）することで実現できる。第２印刷設定情報は、例えば、メディア設定（例えば、用紙種類）や印刷設定（例えば、濃度、画質）である。プリンター４０から取得された第２印刷設定情報は、例えば、ＲＡＭ２４やＲＯＭ２６等の記憶部に記憶される。
【００３６】
特色調整パターン生成部３６ｃは、入力装置３０から入力された特定色データ（ＲＧＢ階調表色データ、基準ＲＧＢとも称される）に対する特色調整パターンＰ（図３参照）を生成する。特色調整パターンＰは、基準色、基準色の周辺に配置された複数の類似色、識別情報を含む。各々の色は、カラーパッチとも称される。
【００３７】
基準色は、入力装置３０から入力された特定色データ（ＲＧＢ階調表色データ）に対応付けられた基準色（ＣＭＹ階調表色データ）である。複数の類似色は、基準色に類似する色（例えば、基準色に対して色相等が僅かずつ異なる色）である。識別情報は、各々の類似色を識別するための情報（例えば、図３中の１〜２５の数字参照）である。
【００３８】
特色調整パターンＰを生成する手法としては、各種の手法、例えば、特開平１０−２１０３１２号公報に記載のものを用いることができる。
【００３９】
特色調整パターン取得部３６ｄは、特色調整パターン生成部３６ｃによって生成された特色調整パターンを取得する。
【００４０】
判定部３６ｅは、第１印刷設定情報取得部３６ａによって入力装置３０から取得された第１印刷設定情報と、第２印刷設定情報取得部３６ｂによってプリンター４０から取得された第２印刷設定情報と、が一致（典型的には、完全一致）するか否かを判定する。
【００４１】
送信部３６ｆは、特色調整パターン取得部３６ｄによって取得された特色調整パターンＰの印刷データをＩ／Ｆ３４を介してプリンター４０に送信する。特色調整パターンＰの印刷データは、特色調整パターン取得部３６ｄによって取得された特色調整パターンＰ（例えば、画像データ）や、第１印刷設定情報取得部３６ａによって入力装置３０から取得された第１印刷設定情報を含む。
【００４２】
報知部３６ｇは、所定の警告を報知する手段で、例えば、ホストコンピューター２０、プリンター４０のうち少なくとも一方に設けられる。報知部３６ｇは、ディスプレイ等の表示装置（例えば、表示装置３２）、スピーカー等の音声出力装置（図示せず）のうち少なくとも１つによって構成される。もちろん、これに限らず、報知部３６ｇは、消灯、点灯、又は、点滅することで、所定の警告を報知するＬＥＤ等であってもよい。
【００４３】
所定の警告は、例えば、第１印刷設定情報取得部３６ａによって入力装置３０から取得された第１印刷設定情報と、第２印刷設定情報取得部３６ｂによってプリンター４０から取得された第２印刷設定情報と、が一致しない旨の警告（ユーザーに注意を促す警告）である。
【００４４】
問合せ部３６ｈは、特色調整パターンＰの印刷を実行するか否かをユーザーに問い合わせる手段で、例えば、ホストコンピューター２０、プリンター４０のうち少なくとも一方に設けられる。問合せ部３６ｈは、ディスプレイ等の表示装置（例えば、表示装置３２）
、スピーカー等の音声出力装置（図示せず）のうち少なくとも１つによって構成される。
【００４５】
次に、プリンター４０について説明する。
【００４６】
プリンター４０は、典型的には、インクジェット方式のラベルプリンターで、図１に示すように、ハード構成として、ＣＰＵ４２、これにバスを介して接続された、ＲＡＭ４４、ＲＯＭ４６、印刷機構４８、Ｉ／Ｆ５０等を備える。
【００４７】
ＲＯＭ４６は、例えば、フラッシュＲＯＭ等の不揮発性メモリーで、制御プログラム等のファームウエア、オペレーティングシステム等が記憶される。ＲＯＭ４６は、第２印刷設定情報記憶部４６ａを含む。第２印刷設定情報記憶部４６ａには、第２印刷設定情報が記憶される。第２印刷設定情報は、例えば、メディア設定（例えば、用紙種類）や印刷設定（例えば、濃度、画質）である。第２印刷設定情報は、ホストコンピューター２０（例えば、入力装置３０）又はプリンター４０（例えば、図示しない操作パネル）から入力されて第２印刷設定情報記憶部４６ａに設定（記憶）される。第２印刷設定情報は、ラベル画像の印刷の際に用いられる。また、第２印刷設定情報は、当該ラベル画像の印刷後も消去（削除）されず、第２印刷設定情報記憶部４６ａに保持され、ノズル目詰まりチェック用パターンの印刷やプリンター４０のステータスの印刷の際にも用いられる。
【００４８】
印刷機構４８は、公知の印刷機構で、例えば、印刷ヘッド（インクジェットヘッド）、用紙送り機構、用紙切断機構等（いずれも図示せず）を備える。
【００４９】
図２に示すように、プリンター４０は、機能構成として、受信部５２、設定部５４、印刷制御部５６等を備える。これらの機能は、主に、ＣＰＵ４２が、ＲＯＭ４６からＲＡＭ４４に読み込まれた所定プログラム（制御プログラム等のファームウエアやオペレーティングシステム等）を実行することによって実現される。
【００５０】
受信部５２は、ホストコンピューター２０から送信される特色調整パターンＰの印刷データをＩ／Ｆ５０を介して受信する。
【００５１】
設定部５４は、受信部５２によって受信された特色調整パターンＰの印刷データ中の第１印刷設定情報を、第２印刷設定情報記憶部４６ａに設定（例えば、上書き）する。
【００５２】
印刷制御部５６は、受信部５２によって受信された特色調整パターンＰの印刷データに基づき、印刷機構４８を制御して特色調整パターンＰを印刷する。
【００５３】
次に、本実施形態のプリントシステム１０の動作（プリンター制御方法）の一例について図面を参照しながら説明する。
【００５４】
まず、ホストコンピューター２０の動作の一例について図４を参照しながら説明する。
【００５５】
図４は、ホストコンピューター２０の動作の一例を説明するためのフローチャートである。
【００５６】
以下の処理は、主に、ＣＰＵ２２が、ＲＯＭ２６からＲＡＭ２４に読み込まれた所定プログラム（主に、特色調整ツール）を実行することによって実現される。
【００５７】
まず、ホストコンピューター２０において特色調整ツールを起動し、入力装置３０から特定色データ（ＲＧＢ階調表色データ、基準ＲＧＢとも称される）、及び、第１印刷設定情報（メディア設定（例えば、用紙種類）や印刷設定（例えば、濃度、画質））をユーザ
ーに入力させる（ステップＳ１０）。
【００５８】
第１印刷設定情報が入力されると、ホストコンピューター２０（第１印刷設定情報取得部３６ａ）は、当該入力された第１印刷設定情報を取得する（ステップＳ１２）。
【００５９】
次に、ホストコンピューター２０（特色調整パターン生成部３６ｃ）が入力装置３０から入力された特定色データに対する特色調整パターンＰ（図３参照）を生成し、ホストコンピューター２０（特色調整パターン取得部３６ｄ）が当該生成された特色調整パターンＰを取得する（ステップＳ１４）。ステップＳ１２及びＳ１４は、本発明の第１取得工程に相当する。
【００６０】
次に、ホストコンピューター２０は、入力装置３０から特色調整パターンＰの印刷指示が入力（受信）されたか否かを判定する（ステップＳ１６）。
【００６１】
特色調整パターンＰの印刷指示が入力されたと判定された場合（ステップＳ１６：Ｙｅｓ）、ホストコンピューター２０（第２印刷設定情報取得部３６ｂ）は、プリンター４０（例えば、第２印刷設定情報記憶部４６ａ）からＩ／Ｆ３４を介して第２印刷設定情報を取得する（ステップＳ１８）。これは、本発明の第２取得工程に相当する。
【００６２】
次に、ホストコンピューター２０（判定部３６ｅ）は、第１印刷設定情報取得部３６ａによって入力装置３０から取得された第１印刷設定情報と、第２印刷設定情報取得部３６ｂによってプリンター４０から取得された第２印刷設定情報と、が一致（典型的には、完全一致）するか否かを判定する（ステップＳ２０）。これは、本発明の判定工程に相当する。
【００６３】
第１印刷設定情報取得部３６ａによって入力装置３０から取得された第１印刷設定情報と、第２印刷設定情報取得部３６ｂによってプリンター４０から取得された第２印刷設定情報と、が一致しないと判定された場合（ステップＳ２０：Ｎｏ）、ホストコンピューター２０（報知部３６ｇ）は、所定の警告を報知する（ステップＳ２２）。具体的には、報知部３６ｇは、第１印刷設定情報取得部３６ａによって入力装置３０から取得された第１印刷設定情報と、第２印刷設定情報取得部３６ｂによってプリンター４０から取得された第２印刷設定情報と、が一致しない旨の警告（ユーザーに注意を促す警告）を、ホストコンピューター２０（又はプリンター４０）に設けられた表示装置（例えば、表示装置３２）に表示したり、その旨をホストコンピューター２０（又はプリンター４０）に設けられたスピーカー等の音声出力装置から音声出力して、ユーザーに注意を促す。なお、ホストコンピューター２０（又はプリンター４０）に設けられた特定のＬＥＤ等を消灯、点灯、又は、点滅して、ユーザーに注意を促す場合もある。
【００６４】
以上のように、特色調整パターンＰの印刷指示を入力（受信）し（ステップＳ１６：Ｙｅｓ）、かつ、第１印刷設定情報と第２印刷設定情報とが一致しないと判定された場合（ステップＳ２０：Ｎｏ）、所定の警告がホストコンピューター２０あるいはプリンター４０から報知される。
【００６５】
次に、ホストコンピューター２０（問合せ部３６ｈ）は、特色調整パターンＰの印刷を実行するか否かをユーザーに問い合わせる（ステップＳ２４）。具体的には、問合せ部３６ｈは、特色調整パターンＰの印刷を実行するか否かを、ホストコンピューター２０（又はプリンター４０）に設けられた表示装置（例えば、表示装置３２）に表示したり、ホストコンピューター２０（又はプリンター４０）に設けられたスピーカー等の音声出力装置（図示せず）から音声出力する。
【００６６】
次に、ホストコンピューター２０は、ステップＳ２４の問い合わせに対して、入力装置３０から特色調整パターンＰの印刷指示（再度の印刷指示）又は特色調整パターンＰの印刷キャンセル指示のいずれが入力されたかを判定する（ステップＳ２６）。
【００６７】
特色調整パターンＰの印刷指示（再度の印刷指示）が入力されたと判定された場合（ステップＳ２６：印刷指示入力）、ホストコンピューター２０（送信部３６ｆ）は、特色調整パターン取得部３６ｄによって取得された特色調整パターンＰの印刷データ（第１印刷設定情報を含む）をＩ／Ｆ３４を介してプリンター４０に送信する（ステップＳ２８）。この特色調整パターンＰの印刷データ（第１印刷設定情報を含む）を受信したプリンター４０は、後述のように、特色調整パターンＰの印刷データ（第１印刷設定情報を含む）に基づき、印刷機構４８を制御して特色調整パターンＰ（例えば、図３参照）を印刷する（図５中のステップＳ３４参照）。
【００６８】
一方、特色調整パターンＰの印刷キャンセル指示が入力されたと判定された場合（ステップＳ２６：印刷キャンセル指示入力）、ホストコンピューター２０（送信部３６ｆ）は、特色調整パターンＰの印刷データをプリンター４０に送信しない。この場合、特色調整パターンＰの印刷が中断（キャンセル）される。
【００６９】
なお、ステップＳ２０において、第１印刷設定情報取得部３６ａによって入力装置３０から取得された第１印刷設定情報と、第２印刷設定情報取得部３６ｂによってプリンター４０から取得された第２印刷設定情報と、が一致（典型的には、完全一致）すると判定された場合（ステップＳ２０：Ｙｅｓ）も、ホストコンピューター２０（送信部３６ｆ）は、特色調整パターン取得部３６ｄによって取得された特色調整パターンＰの印刷データをＩ／Ｆ３４を介してプリンター４０に送信する（ステップＳ２６）。
【００７０】
次に、プリンター４０の動作の一例について図５を参照しながら説明する。
【００７１】
図５は、プリンター４０の動作の一例を説明するためのフローチャートである。
【００７２】
以下の処理は、主に、ＣＰＵ４２が、ＲＯＭ４６からＲＡＭ４４に読み込まれた所定プログラム（制御プログラム等のファームウエアやオペレーティングシステム等）を実行することによって実現される。
【００７３】
プリンター４０（受信部５２）は、ホストコンピューター２０から送信される特色調整パターンＰの印刷データをＩ／Ｆ５０を介して受信する（ステップＳ３０）。
【００７４】
次に、プリンター４０（設定部５４）は、受信部５２によって受信された特色調整パターンＰの印刷データ中の第１印刷設定情報を、第２印刷設定情報記憶部４６ａに設定（例えば、上書き）する（ステップＳ３２）。
【００７５】
次に、プリンター４０（印刷制御部５６）は、受信部５２によって受信された特色調整パターンＰの印刷データ（第１印刷設定情報を含む）に基づき、印刷機構４８を制御して特色調整パターンＰ（例えば、図３参照）を印刷する（ステップＳ３４）。
【００７６】
この印刷された特色調整パターンＰは、次のようにして利用される。例えば、ホストコンピューター２０は、上記従来技術と同様、ステップＳ３４で印刷された特色調整パターンＰ中の、色見本（例えば、コーポレートカラー）に最も近い色をユーザーに選択させ（例えば、入力装置３０から当該色の識別情報を入力させ）、その選択された色のデータ（ＣＭＹ階調表色データ）とステップＳ１０で入力装置３０から入力された特定色のデータ（ＲＧＢ階調表色データ）とを対応付けてＲＡＭ４４やＲＯＭ４６等の記憶部に記憶し、
以後、特定色のデータについては、当該特定色のデータに対応付けて記憶された色のデータに基づく色として印刷する。
【００７７】
以上説明したとおり、本実施形態によれば、入力装置３０から入力された第１印刷設定情報（特色調整の際に用いたメディアの設定や濃度、画質等の設定）がプリンター４０（例えば、第２印刷設定情報記憶部４６ａ）に記憶された第２印刷設定情報と異なることに起因して無駄な特色調整パターンＰが印刷されるのを防止できる（その結果、メディア等が無駄に消費されるのを防止できる）印刷方法、プリントシステム及びプログラムを提供できる。
【００７８】
これは、特色調整パターンＰの印刷指示を入力（受信）し（ステップＳ１６：Ｙｅｓ）、かつ、第１印刷設定情報（例えば、ユーザーが入力装置３０から入力したメディア設定、濃度、画質等の印刷設定）と第２印刷設定情報（例えば、プリンター４０から取得したメディア設定、濃度、画質等の印刷設定）とが一致しないと判定された場合（ステップＳ２０：Ｎｏ）、所定の警告をホストコンピューター２０あるいはプリンター４０から報知して（ステップＳ２２）ユーザーに注意を促し、特色調整パターンＰの印刷データをプリンター４０に送信しない（つまり、無駄な特色調整パターンを印刷しない）ことによるものである。
【００７９】
また、本実施形態によれば、第１印刷設定情報と第２印刷設定情報とが一致せず（ステップＳ２０：Ｎｏ）、所定の警告が報知された場合（ステップＳ２２）であっても、特色調整パターンＰの印刷指示を再度入力（受信）することで（ステップＳ２６：印刷指示入力）、特色調整パターンＰの印刷データをプリンター４０に送信でき（ステップＳ２８）、当該特色調整パターンＰを印刷させることができる（ステップＳ３４）。この場合、プリンター４０（第２印刷設定情報記憶部４６ａ）が記憶する第２印刷設定情報を、ホストコンピューター２０から受信した特色調整パターンＰの印刷データ中の第１印刷設定情報に書き換える（ステップＳ３２）ことができる。
【００８０】
なお、上記実施形態では、第２印刷設定情報を、特色調整パターンＰの印刷指示が入力されたと判定されたタイミング（ステップＳ１６：Ｙｅｓ）で、プリンター４０（例えば、第２印刷設定情報記憶部４６ａ）から取得する（ステップＳ１８）ように説明したが、これに限らない。例えば、第２印刷設定情報を、他のタイミング、例えば、ホストコンピューター２０において特色調整ツールを起動したタイミングで、プリンター４０（例えば、第２印刷設定情報記憶部４６ａ）から取得してもよい。
【００８１】
また、上記実施形態では、特色調整パターンＰは、ステップＳ１４で生成、取得するように説明したが、これに限らない。例えば、特色調整パターンＰは、ステップＳ１０とステップＳ２８の間であれば、いずれのタイミングで生成、取得してもよい。
【００８２】
なお、上記実施形態では、プリンター４０としてラベルプリンターを例示したが、これに限らず、ラベルプリンター以外のプリンターにも、本発明を適用可能である。
【００８３】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【００８４】
１０…プリントシステム、２０…ホストコンピューター、２２…ＣＰＵ、２４…ＲＡＭ、２６…ＲＯＭ、２８…ＨＤＤ、３０…入力装置、３２…表示装置、３４…Ｉ／Ｆ、３６ａ…第１印刷設定情報取得部、３６ｂ…第２印刷設定情報取得部、３６ｃ…特色調整パタ
ーン生成部、３６ｄ…特色調整パターン取得部、３６ｅ…判定部、３６ｆ…送信部、３６ｇ…報知部、３６ｈ…問合せ部、４０…プリンター、４２…ＣＰＵ、４４…ＲＡＭ、４６…ＲＯＭ、４６ａ…第２印刷設定情報記憶部、４８…印刷機構、５０…Ｉ／Ｆ、５２…受信部、５４…設定部、５６…印刷制御部、Ｐ…特色調整パターン。
【図１】
2017151589.tif 000003
【図２】
2017151589.tif 000004
【図３】
2017151589.tif 000005
【図４】
2017151589.tif 000006
【図５】
2017151589.tif 000007